(57)【特許請求の範囲】
【請求項１】
肌当接側に位置する透液性表面シートと、肌非当接側に位置する不透液性裏面シートと、前記表裏面シートの間に介在する吸液性コアとから形成され、横方向へ延びる両端縁部と、縦方向へ延びる両側縁部とを有し、前記縦方向に前胴周り域および後胴周り域と、前記前後胴周り域の間に位置する股下域とを備えた使い捨ておむつにおいて、
前記表裏面シート（１０，１１）と前記コア（１２）とを厚み方向へ貫通する開口（８）が、前記前後胴周り域（３１，３３）と前記股下域（３２）との少なくとも該股下域における前記両側縁部（１ｂ）の間に形成され、大便を収容するための肌当接面が透液性シート（１０）で覆われた積層パネル（９´）により構成される袋（９）が、前記開口（８）と対向するように前記おむつの肌非当接側に取り付けられ、
前記袋（９）は、第１端（９ａ）及びその反対側の第２端（９ｂ）を有する積層パネル（９´）の周縁部のうち縦方向内方へ向かって凹む前記第１端部（９ａ）である部位（２０）において、該パネルの縦中心線（Ｚ）の近傍両側部を透液性シート（１０）が互いに当接するように接合し、縦中心線（Ｚ）を中心として両外側へ離間した部位において前記第１端（９ａ）から前記第２端（９ｂ）へ向かって互いに間隔が次第に大きくなるように延びる第１〜第４折曲部（１６，１７，２７，２８）を有し、前記第１折曲部（１６）及び前記第３折曲部（２７）を介して互いに対向する内側へ折曲し、さらに前記第２折曲部（１７）及び前記第４折曲部（２８）を介して外側へ折曲することにより形成され、前記開口（８）の周縁近傍に水密に固着されていることを特徴とする前記おむつ。
【請求項２】
前記袋の大便収容容積が、３０〜１０，０００ｃｍ３の範囲にある請求項１記載のおむつ。
【請求項３】
前記袋を構成する前記積層パネルが、肌当接側に位置する前記透液性シートと、肌非当接側に位置する不透液性シートと、それらシートの間に位置する吸液性コアとから形成されている請求項１または請求項２に記載のおむつ。
【発明の詳細な説明】
【０００１】
【発明の属する技術分野】
本発明は、排泄物を吸収、保持する使い捨ておむつに関する。
【０００２】
【従来の技術】
透液性表面シートと不透液性裏面シートとの間に吸液性コアが介在し、縦方向に前胴周り域および後胴周り域と、それら胴周り域の間に位置する股下域とを備え、コアにその厚み方向へ凹む大便保持用の凹部が形成された使い捨ておむつは公知である。
【０００３】
そのようなものの一例として、特開平８−１９１８５７号公報は、股下域に厚み方向へ貫通する開孔を有する上層コアと、上層コアの下方に位置して開孔を塞ぐ下層コアとを備え、それらコアで大便保持用の凹部を形成し、それらコアの間に介在する親水性不織布が凹部内にのぞいている使い捨ておむつを開示している。他の一例として、実開平６−５６１４号公報は、コアがその上面から厚み方向へ凹む大便保持用の凹部を有し、凹部がその開口面から底面へ向かって逆テーパ状に拡大する使い捨ておむつを開示している。
【０００４】
【発明が解決しようとする課題】
それら公報に開示のおむつは、凹部の大便収容容積が小さく、凹部にわずかな大便を収容することはできるが、一度に多量の大便が排泄されると、凹部がそれを収容しきれず、凹部から溢れた大便が着用者の肌に付着してしまう。また、コアの上部からその厚み方向下方へ着用者の体圧がかかると、コアが潰れ、凹部の大便収容容積が着用前の状態よりもさらに小さくなってしまう。
【０００５】
本発明の課題は、大便収容容積の大きい袋に大便を収容し、着用者の肌に対する大便の付着を確実に防ぐことができる使い捨て着用物品を提供することにある。
【０００６】
【課題を解決するための手段】
前記課題を解決するための本発明の前提は、肌当接側に位置する透液性表面シートと、肌非当接側に位置する不透液性裏面シートと、前記表裏面シートの間に介在する吸液性コアとから形成され、横方向へ延びる両端縁部と、縦方向へ延びる両側縁部とを有し、前記縦方向に前胴周り域および後胴周り域と、前記前後胴周り域の間に位置する股下域とを備えた使い捨ておむつである。
【０００７】
かかる前提における本発明の特徴は、前記表裏面シート（１０，１１）と前記コア（１２）とを厚み方向へ貫通する開口（８）が、前記前後胴周り域（３１，３３）と前記股下域（３２）との少なくとも該股下域における前記両側縁部（１ｂ）の間に形成され、大便を収容するための肌当接面が透液性シート（１０）で覆われた積層パネル（９´）により構成される袋（９）が、前記開口（８）と対向するように前記おむつの肌非当接側に取り付けられ、
前記袋（９）は、第１端（９ａ）及びその反対側の第２端（９ｂ）を有する積層パネル（９´）の周縁部のうち縦方向内方へ向かって凹む前記第１端部（９ａ）である部位（２０）において、該パネルの縦中心線（Ｚ）の近傍両側部を透液性シート（１０）が互いに当接するように接合し、縦中心線（Ｚ）を中心として両外側へ離間した部位において前記第１端（９ａ）から前記第２端（９ｂ）へ向かって互いに間隔が次第に大きくなるように延びる第１〜第４折曲部（１６，１７，２７，２８）を有し、前記第１折曲部（１６）及び前記第３折曲部（２７）を介して互いに対向する内側へ折曲し、さらに前記第２折曲部（１７）及び前記第４折曲部（２８）を介して外側へ折曲することにより形成され、前記開口（８）の周縁近傍に水密に固着されていることにある。
【０００８】
本発明の実施の態様の一例としては、前記袋の大便収容容積が、３０〜１０，０００ｃｍ３の範囲にある。
【０００９】
本発明の実施の態様の他の一例としては、前記袋を構成する前記積層パネルが、肌当接側に位置する前記透液性シートと、肌非当接側に位置する不透液性シートと、それらシートの間に位置する吸液性コアとから形成されている。
【００１０】
【発明の実施の形態】
添付の図面を参照し、本発明にかかる使い捨ておむつの詳細を開放型のおむつを例として説明すると、以下のとおりである。
【００１１】
図１，２は、表面シート２の側から示すおむつ１Ａの斜視図と、おむつ１Ａと袋９とを分離して示すそれらの斜視図とである。図３，４は、図１のＡ−Ａ線断面図と、図１のＢ−Ｂ線断面図とである。図１，２では、横方向を矢印Ｘで示し、縦方向を矢印Ｙで示す。図２では、袋９に成形する以前の状態を仮想線で示す。なお、表面シート２と裏面シート３との内面とは、コア４に対向する面をいい、それらシート２，３の外面とは、コア４に非対向の面をいう。また、透液性シート１０と不透液性シート１１との内面とは、コア１２に対向する面をいい、それらシート１０，１１の外面とは、コア１２に非対向の面をいう。
【００１２】
おむつ１Ａは、肌当接側に位置する透液性表面シート２と、肌非当接側に位置する不透液性裏面シート３と、それらシート２，３の間に介在する吸液性コア４と、表面シート２の上方へ起立性向を有する実質的に不透液性の防漏カフ５とを有する。コア４は、表面シート２と裏面シート３との内面に接合されている。
【００１３】
おむつ１Ａは、縦方向に前胴周り域３１および後胴周り域３３と、前後胴周り域３１，３３の間に位置する股下域３２とを備え、横方向へ延びる両端縁部１ａと、縦方向へ延びる両側縁部１ｂとを有する。両側縁部１ｂは、股下域３２において横方向内方へ向かって弧を画いている。
【００１４】
おむつ１Ａの端縁部１ａには、横方向へ延びる帯状の胴周り用弾性部材６が伸長状態で取り付けられている。おむつ１Ａの両側縁部１ｂには、股下域３２を縦方向へ延びる複数条の脚周り用弾性部材７が伸長状態で取り付けられている。
【００１５】
おむつ１Ａの両側縁部１ｂの間には、表裏面シート２，３とコア４とをその厚み方向へ貫通する縦方向へ長い開口８が形成されている。開口８は、股下域３２を中心として前後胴周り域３１，３３へ向かって延びている。おむつ１Ａの肌非当接側には、大便を収容するための縦方向へ長い袋９が取り付けられている。
【００１６】
袋９は、肌当接側に位置する透液性シート１０と、肌非当接側に位置する不透液性シート１１と、それらシート１０，１１の間に介在する吸液性コア１２とからなる積層パネル９´を有する。コア１２は、透液性シート１０と不透液性シート１１との内面に接合されている。袋９では、コア１２の周縁から周方向外方へ延びる透液性シート１０と不透液性シート１１との周縁部が水密に固着されている。袋９は、おむつ１Ａの開口８に対向する大便入口１３と、大便入口１３の下方を縦方向へ延びる底１４と、大便入口１３と底１４との間を互いに対向して縦方向へ延びる両側壁１５とを有する。
【００１７】
両側壁１５には、第１折曲部１６が底１４の両側を縦方向へ延び、第２折曲部１７が大便入口１３と第１折曲部１６との間を縦方向へ延びている。両側壁１５は、透液性シート１０の内面が互いに当接するように第１折曲部１６で折曲され、不透液性シート１１の外面が互いに当接するように第２折曲部１７で折曲されている。
【００１８】
両側壁１５には、第１折曲部１６と第２折曲部１７との間を縦方向へ延びる第１部分１８と、第２折曲部１７と大便入口１３との間を縦方向へ延びる第２部分１９とが画成されている。両側壁１５では、第１部分１８がおむつ１Ａの横方向内方へ倒伏し、第２部分１９がおむつ１Ａの横方向外方へ倒伏している。第２部分１９の間には、袋９の底１４が露出している。
【００１９】
図２に仮想線で示される積層パネル９´から袋９を成形するには、第１端９ａ及びその反対側の第２端９ｂを有する積層パネル９´の周縁部のうち、縦方向内方へ向かって凹む第１端部９ａである部位２０において、該パネルの縦中心線Ｚの近傍両側部を透液性シート１０が互いに当接するように接合し、縦中心線Ｚを中心として両外側へ離間した部位において  第１端９ａから第２端９ｂへ向かって互いに間隔が次第に大きくなるように延びる第１及び第２折曲部１６，１７を有し、第１折曲部１６を介して互いに対向する内側へ折曲し、さらに第２折曲部１７を介して外側へ折曲する。
【００２０】
おむつ１Ａでは、開口８の周縁近傍に延びる裏面シート３の外面と大便入口１３の周縁近傍に延びる透液性シート１０の外面とが水密に固着されている。おむつ１Ａと袋９との固着は、ホットメルト型接着剤を使用している。おむつ１Ａと袋９との固着には、ヒートシールや超音波接合等の熱による溶着手段を利用することができる。
【００２１】
袋９は、大便収容容積が３０〜１０，０００ｃｍ３の範囲にある。収容容積が３０ｃｍ３未満では、多量の大便が排泄されたときに、袋９が大便を収容しきれない場合がある。収容容積が１０，０００ｃｍ３を超過すると、袋９が大型化してしまい、嵩張った袋９が着用者の股間部に接触するので、おむつ１Ａの着用時に不快感がある。
【００２２】
おむつ１Ａでは、後胴周り域３３の両側縁部１ｂにテープファスナ２１が取り付けられ、前胴周り域３１における裏面シート３の外面にテープファスナ２１の止着域となるターゲットテープ２２が取り付けられている。
【００２３】
テープファスナ２１は、後胴周り域３３の両側縁部１ｂに固着された基端部と、ターゲットテープ２２に係脱可能に止着する自由端部とを有する。テープファスナ２１の自由端部には、メカニカルファスナのうちのフック部材（図示せず）が取り付けられている。自由端部は、表面シート２の外面の側へ向かって折曲され、シート２に仮着されている。ターゲットテープ２２は、フック部材を係脱可能に止着するループ部材から形成されている。
【００２４】
カフ５は、おむつ１Ａの両側縁部１ｂを縦方向へ延びている。カフ５は、コア４の両側縁４ｂの外側近傍を縦方向へ延びる固定縁部５ａと、固定縁部５ａに並行して縦方向へ延びる自由縁部５ｂと、前後胴周り域３１，３３に位置しておむつ１Ａの横方向内方へ倒伏した固定両端部５ｃとを有する。自由縁部５ｂには、縦方向へ延びる弾性部材２３が伸長状態で取り付けられている。弾性部材２３は、自由縁部５ｂの一部に被覆されている。
【００２５】
カフ５では、固定縁部５ａから横方向外方へ側部５ｄが延びている。カフ５は、その固定縁部５ａがおむつ１Ａの両側縁部１ｂに固着され、その固定両端部５ｃがおむつ１Ａの両端縁部１ａに固着されている。
【００２６】
おむつ１Ａでは、それが表面シート２を内側にして縦方向へ湾曲し、カフ５が縦方向へ収縮してその自由縁部５ｂが表面シート２の上方へ起立している。おむつ１Ａでは、起立したカフ５の自由縁部５ｂが排泄物に対する障壁を形成し、股下域３２における両側縁部１ｂからの排泄物の漏れを防ぐことができる。
【００２７】
おむつ１Ａの両端縁部１ａでは、表面シート２の端部２ａと裏面シート３の端部３ａとがコア４の両端縁４ａから縦方向外方へ延び、それら端部２ａ，３ａの互いに重なり合う部分が固着されている。カフ５の固定両端部５ｃは、表面シート２の端部２ａに固着されている。胴周り用弾性部材６は、表面シート２の端部２ａと裏面シート３の端部３ａとの間に介在し、それら端部２ａ，３ａに固着されている。
【００２８】
おむつ１Ａの両側縁部１ｂでは、表面シート２の側部２ｂがコア４の両側縁４ｂから横方向外方へわずかに延び、表面シート２の側部２ｂからさらに横方向外方へ裏面シート３の側部３ｂとカフ５の側部５ｄとが延びている。側部２ｂと側部３ｂとは、それら側部２ｂ，３ｂの互いに重なり合う部分が固着されている。側部３ｂと側部５ｄとは、それら側部３ｂ，５ｄの互いに重なり合う部分が固着されている。カフ５の固定縁部５ａは、表面シート２の側部２ｂに固着されている。脚周り用弾性部材７は、裏面シート３の側部３ｂとカフ５の側部５ｄとの間に介在し、それら側部３ｂ，５ｄに固着されている。
【００２９】
図５は、前後胴周り域３１，３３を連結した着用状態にある図１のおむつ１Ａの断面斜視図であり、袋９に大便２６が収容された状態で示す。おむつ１Ａを着用するには、後胴周り域３３の両側縁部１ｂを前胴周り域３１の両側縁部１ｂの外側に重ね合わせ、テープファスナ２１の自由端部をターゲットテープ２２に止着する。前後胴周り域３１，３３が連結されたおむつ１Ａには、胴周り開口２４と、脚周り開口２５とが画成される。
【００３０】
おむつ１Ａでは、その着用中に排泄された大便２６が大便入口１３を通って袋９の内部に収容されるので、大便が表面シート２上に残存することはなく、着用者の肌に対する大便２６の付着を確実に防ぐことができる。袋９に収容された大便２６は、水分がコア１２に吸収、保持され、固形分が袋９の内部に残存する。
【００３１】
おむつ１Ａでは、大便２６の質量によって袋９の両側壁１５が第１折曲部１６と第２折曲部１７とにおいて折り返され、両側壁１５がおむつ１Ａの下方へ向かって延びる。おむつ１Ａでは、図３に示す大便２６排泄前と比較し、袋９の底１４がおむつ１Ａの開口８から下方へ離間するので、袋９に収容された大便２６を着用者の肌から遠ざけることができる。
【００３２】
大便２６排泄前の状態では、袋９の両側壁１５が第１折曲部１６と第２折曲部１７とで折曲され、両側壁１５がおむつ１Ａの横方向内方と横方向外方とへ交互に倒伏するように折り畳まれているので、袋９がおむつ１Ａの下方へ出っ張ることはなく、袋９の両側壁１５が折り畳まれていないものと比較し、おむつ１Ａの肌非当接側から下方への袋９の延出寸法を小さくすることができる。
【００３３】
図６，７は、他の実施の形態を示すおむつ１Ｂの部分破断斜視図と、おむつ１Ｂと袋９とを分離して示すそれらの斜視図とである。図８，９は、図６のＣ−Ｃ線断面図と、図６のＤ−Ｄ線断面図とである。図７では、袋９に成形する以前の状態を仮想線で示す。図６のおむつ１Ｂが図１のそれと異なる点は、以下のとおりである。
【００３４】
袋９の両側壁１５には、第１折曲部１６と第２折曲部１７との他に、第３折曲部２７と第４折曲部２８とが大便入口１３と第２折曲部１７との間を縦方向へ延びている。両側壁１５は、第１折曲部１６と第２折曲部１７とで折曲され、透液性シート１０の内面が互いに当接するように第３折曲部２７で折曲され、さらに、不透液性シート１１の外面が互いに当接するように第４折曲部２８で折曲されている。
【００３５】
両側壁１５には、第２折曲部１７と第３折曲部２７との間を縦方向へ延びる第３部分２９と、第３折曲部２９と大便入口１３との間を縦方向へ延びる第４部分３０とが画成されている。両側壁１５では、第３部分２９がおむつ１Ｂの横方向内方へ向かって倒伏し、第４部分３０がおむつ１Ｂの横方向外方へ向かって倒伏している。第２部分１９の間には、袋９の底１４が露出している。このおむつ１Ｂにおける袋９の大便収容容積は、図１のそれと同一である。
【００３６】
図７に仮想線で示される積層パネル９´から袋９を成形するには、第１端９ａ及びその反対側の第２端９ｂを有する積層パネル９´の周縁部のうち縦方向内方へ向かって凹む第１端部９ａである部位２０において、該パネルの縦中心線Ｚの近傍両側部を透液性シート１０が互いに当接するように接合し、縦中心線Ｚを中心として両外側へ離間した部位において  第１端９ａから第２端９ｂへ向かって互いに間隔が次第に大きくなるように延びる第１〜第４折曲部１６，１７，２７，２８を有し、第１折曲部１６及び第３折曲部２７を介して互いに対向する内側へ折曲し、さらに第２折曲部１７及び第４折曲部２８を介して外側へ折曲する。
【００３７】
このおむつ１Ｂでは、図１のそれと同様に、開口８の周縁近傍に延びる裏面シート３の外面と袋９の大便入口１３の周縁近傍に延びる透液性シート１０の外面とが水密に固着されている。
【００３８】
このおむつ１Ｂでは、袋９の両側壁１５が第１〜第４折曲部１６，１７，２７，２８で折曲され、両側壁１５が４つに折り畳まれているので、おむつ１Ｂの肌非当接側から下方への袋９の延出寸法を小さくすることができることのみならず、袋９の横方向の寸法も小さくすることができる。このおむつ１Ｂでは、図１のそれよりも、袋９を一層コンパクトにすることができる。
【００３９】
それら図示例のおむつ１Ａ，１Ｂでは、開口８から袋９の底１４が露出するので、袋９に排泄された大便２６が直接底１４に収容され、大便２６が袋９の両側壁１５に引っ掛ってしまうことがない。
【００４０】
表面シート２と透液性シート１０とには、親水性繊維不織布、または、微細な多数の開孔を有するプラスチックフィルムを使用することができる。裏面シート３と不透液性シート１１とには、疎水性繊維不織布、不透液性のプラスチックフィルム、疎水性繊維不織布を重ね合わせた２層の不織布、疎水性繊維不織布にプラスチックフィルムを固着した複合シートのいずれかを使用することができる。防漏カフ５には、疎水性繊維不織布を使用することができる。
【００４１】
裏面シート３や不透液性シート１１、カフ５には、高い耐水性を有するメルトブローン法による繊維不織布を、高い強度を有しかつ柔軟性に富んだスパンボンド法による繊維不織布で挟んだ複合不織布を使用することもできる。
【００４２】
不織布としては、スパンレース、ニードルパンチ、メルトブローン、サーマルボンド、スパンボンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレン、または、ポリエチレン／ポリエステルからなる芯鞘型複合繊維または並列型複合繊維を使用することができる。
【００４３】
コア４，１２は、フラッフパルプと高吸収性ポリマー粒子との混合物、または、フラッフパルプと高吸収性ポリマー粒子と熱可塑性合成樹脂繊維との混合物であり、所要の厚みに圧縮されている。それらコア４，１２は、ポリマー粒子の脱落や型崩れを防止するためにその全体がティッシュペーパーに被覆されていることが好ましい。ポリマー粒子としては、デンプン系、セルロース系、合成ポリマー系のものを使用することができる。
【００４４】
表裏面シート２，３や透液性シート１０、不透液性シート１１の固着、防漏カフ５の固着、それらシート２，３，１０，１１に対するそれらコア４，１２の接合、弾性部材６，７，２３の取り付けには、ホットメルト型接着剤、または、ヒートシールや超音波接合等の熱による溶着手段を使用することができる。
【００４５】
この発明は、開放型のおむつの他に、前後胴周り域があらかじめ連結されたパンツ型のおむつにも実施することができる。
【００４６】
【発明の効果】
本発明にかかる使い捨ておむつによれば、それに排泄された大便がおむつに取り付けられた袋の内部に収容されるので、大便が表面シート上に残存することはなく、着用者の肌に対する大便の付着を確実に防ぐことができる。
【００４７】
このおむつでは、袋の両側壁が縦方向へ延びる少なくとも２条の折曲部で折曲され、両側壁がおむつの横方向内方と横方向外方とへ交互に倒伏するように折り畳まれているので、おむつの肌非当接側から下方への袋の延出寸法を小さくすることができる。
【００４８】
また、このおむつでは、その着用中に、それに排泄された大便の質量によって袋の両側壁が折曲部において折り返され、両側壁がおむつの下方へ向かって延びるので、大便排泄前よりも袋の底がおむつの開口から下方へ離間し、袋に収容された大便を着用者の肌から遠ざけることができる。
【図面の簡単な説明】
【図１】  表面シートの側から示すおむつの部分破断斜視図。
【図２】  おむつと袋とを分離して示すそれらの斜視図。
【図３】  図１のＡ−Ａ線断面図。
【図４】  図１のＢ−Ｂ線断面図。
【図５】  前後胴周り域を連結した着用状態で示す図１のおむつの斜視断面図。
【図６】  他の実施の形態を示すおむつの部分破断斜視図。
【図７】  おむつと袋とを分離して示すそれらの斜視図。
【図８】  図６のＣ−Ｃ線断面図。
【図９】  図６のＤ−Ｄ線断面図。
【符号の説明】
１Ａ          使い捨ておむつ
１Ｂ          使い捨ておむつ
１ａ          両端縁部
１ｂ          両側縁部
２            透液性表面シート
３            不透液性裏面シート
４            吸液性コア
８            開口
９            袋
９´ 積層パネル
１０            透液性シート
１１            不透液性シート
１２            吸液性コア
１３            大便入口
１４            底
１５            両側壁
１６，１７      折曲部
２７，２８      折曲部
３１            前胴周り域
３２            股下域
３３            後胴周り域
【図１】
0003884624.tif 000002
【図２】
0003884624.tif 000003
【図３】
0003884624.tif 000004
【図４】
0003884624.tif 000005
【図５】
0003884624.tif 000006
【図６】
0003884624.tif 000007
【図７】
0003884624.tif 000008
【図８】
0003884624.tif 000009
【図９】
0003884624.tif 000010